(57)【要約】【課題】  送信された強度変調符号をマンチェスタ符号に変換して、光リミッタアンプに入力し、パターン効果による波形劣化を生じないようにする。【解決手段】  波長変換素子は、４つの２×２波長カプラ１０５，１０６，１０７，１１０と、２つの半導体光増幅器１０８，１０９とを組み合わせ、４つの入力ポート１０１〜１０４と、４つの出力ポート１１１，１１２，１１７，１１８とを有する。さらに、出力ポート１１１，１１２には、遅延素子１１３と波長カプラ１１４とが接続され、２つの出力ポート１１５，１１６とを有する。【選択図】  図１０
2006003753.tif 000002
【特許請求の範囲】
【請求項１】
一方の入力ポートに第１波長の連続光を出力する光源が接続された２入力２出力の第１カプラと、
一方の出力ポートから第２波長の第１信号光を入力する第２カプラと、
一方の出力ポートから前記第１信号光を遅延した第２信号光を入力する第３カプラと、
前記第１カプラの一方の出力ポートから前記連続光を入力し、前記第２カプラの一方の入力ポートから前記第１信号光を入力し、前記第１信号光の波長を前記第１波長に変換する第１半導体光増幅器と、
前記第３カプラの一方の入力ポートから前記第２信号光を入力する第２半導体光増幅器と、
一方の入力ポートに前記第２カプラの他方の出力ポートが接続され、他方の入力ポートに前記第３カプラの他方の出力ポートが接続された第４カプラと、
該第４カプラの一方の出力に接続された遅延素子と、
一方の入力ポートに前記遅延素子の出力が接続され、他方の入力ポートに前記第４カプラの他方の出力ポートが接続された第５カプラとを備え、
該第５カプラは、前記第１波長に変換され反転された前記第１信号光、および前記第１波長に変換され前記遅延素子により遅延された前記第１信号光を一方の出力ポートに出力することを特徴とする符号変換装置。
【請求項２】
一方の入力ポートに第１波長の連続光を出力する光源が接続された２入力２出力の第１カプラと、
一方の入力ポートから第２波長の第１信号光を入力し、他方の入力ポートが前記第１カプラの一方の出力ポートに接続された第２カプラと、
一方の入力ポートから前記第１信号光を遅延した第２信号光を入力し、他方の入力ポートが前記第１カプラの他方の出力ポートに接続された第３カプラと、
前記第２カプラの一方の出力ポートから前記連続光および前記第１信号光を入力し、前記第１信号光の波長を前記第１波長に変換する第１半導体光増幅器と、
前記第３カプラの一方の出力ポートから前記第２信号光を入力する第２半導体光増幅器と、
一方の入力ポートに前記第１半導体光増幅器の出力が接続され、他方の入力ポートに前記第２半導体光増幅器の出力が接続された第４カプラと、
該第４カプラの一方の出力に接続された第３半導体光増幅器と、
前記第４カプラの他方の出力に接続された第４半導体光増幅器と、
前記第３半導体光増幅器の出力に接続された遅延素子と、
一方の入力ポートに前記遅延素子の出力が接続され、他方の入力ポートに前記第４半導体光増幅器の出力が接続された第５カプラとを備え、
該第５カプラは、前記第１波長に変換され反転された前記第１信号光、および前記第１波長に変換され前記遅延素子により遅延された前記第１信号光を一方の出力ポートに出力することを特徴とする符号変換装置。
【発明の詳細な説明】
【技術分野】
【０００１】
本発明は、符号変換装置に関し、より詳細には、光伝送システムに適用され、高速パケット信号の受信または中継再生時の光信号処理において、強度変調符号をマンチェスタ変調符号に変換する符号変換装置に関する。
【背景技術】
【０００２】
近年、光伝送システムの高速化・高機能化に伴い、４０Ｇｂ／ｓを越える超高速パケット信号による光通信が期待されている。このような光伝送システムにおいては、光信号を電気信号に変換せずに、光信号のまま処理を行う光スイッチ、光アンプなどの機能デバイスが知られている。
【０００３】
図１に、従来の超高速パケットを使用した光通信システムを示す。ユーザ端末５０６〜５０８が、光ルータ５０１〜５０３を介して、光ファイバ５０４、５０５により接続されている。ユーザ端末５０６とユーザ端末５０８との間は、例えば５ｋｍの近距離にあり、ユーザ端末５０７とユーザ端末５０８との間は、例えば３５ｋｍの遠距離にあるとする。
【０００４】
ここで、ユーザ端末５０６，５０７からユーザ端末５０８に向けて、それぞれ超高速パケットを送信する。図２に、ユーザ端末５０８における超高速光パケットの受信波形を示す。図２（ａ）において、波形５０９は、ユーザ端末５０６からの超高速光パケットの受信波形であり、波形５１０は、ユーザ端末５０７からの超高速光パケットの受信波形である。光ファイバは、１ｋｍ当たり０．１〜０．２ｄＢ程度の損失（ここでは一例として０．１５ｄＢとする）があるので、ユーザ端末５０６からの光信号とユーザ端末５０７からの光信号とを比較すると、３０ｋｍの距離差により４．５ｄＢの信号強度差が生じる。
【０００５】
図２（ｂ）は、波形５０９ｂの拡大図である。ユーザ端末５０８における光受信器において閾値レベル５１１を設定し、閾値レベル５１１以上の光信号を論理符号１と判定し、閾値レベル５１１以下の光信号を論理符号０と判定する。従って、ユーザ端末ごとに受信した超高速光パケットの入力レベルに変動があると、最適な閾値レベルが常に変動し、受信波形の判定が困難になる。
【０００６】
そこで、ユーザ端末５０８の光受信器において、等化器、光リミッタアンプなどを設け、波形成形を行ってから、受信波形の判定を行うことが知られている（例えば、非特許文献１参照）。図３に、ユーザ端末５０８における超高速光パケットの受信波形を示す。図３（ａ）は、比較のために図２（ａ）を再掲した。図３（ｂ）は、ユーザ端末５０８と光ルータ５０３との間に、光リミッタアンプを介して受信した波形である。波形６０１は、ユーザ端末５０６からの超高速光パケットの受信波形であり、波形６０２は、ユーザ端末５０７からの超高速光パケットの受信波形である。光リミッタアンプは、光パケット間の強度差を抑制する機能を有し、ユーザ端末ごとに受信した光信号の入力レベルに関わらず、所定の光強度の信号を出力する。従って、適当な閾値レベル６０３を設定することにより、全てユーザ端末からの受信波形を、一つの閾値レベル６０３で判定することができる。
【０００７】
図４に、従来の光リミッタアンプの構造を示す。光リミッタアンプは、低飽和半導体光増幅器であり、光信号を増幅する活性層７０１と、活性層７０１の両端に接続され、光信号を光ファイバに入出力させるためのスポットサイズ変換部７０２ａ，７０２ｂと、電極７０３，７０４とを備えている。活性層７０１は、半導体レーザと同じｐｎ接合による埋め込み構造を有し、両端面に無反射コーティングを施されている。活性層７０１の一端から入力された光信号は、電極７０３，７０４間に加えられた電流により増幅され、活性層７０１の他端から出力される。
【０００８】
図５に、光リミッタアンプの入出力特性を示す。入力光強度に対する出力光強度を図示したものである。光リミッタアンプは、入力光強度が弱い場合には増幅度が高く、入力光強度が強い場合には増幅度が低い。この特性によって、ある一定の光強度以上の入力光強度に対しては、出力光強度を一定の値にすることができる。
【０００９】
しかしながら、従来の光リミッタアンプにはパターン効果と呼ばれる問題点があった。図６は、パターン効果を説明するための図である。図６（ａ）は、光リミッタアンプへの入力信号を示し、論理符号１０１０１０１０１０１１１１１１１１１１１を０連続符号で挟んだ信号である。図６（ｂ）は、光リミッタアンプの出力信号である。論理符号０が連続した後の最初の論理符号１は、単位時間に入力される平均入力光強度が低いために、相対的に光リミッタアンプの増幅度が高く、光強度の高い波形が出力される。これに対して２番目以降の論理符号は、相対的に光リミッタアンプの増幅度が低いために、光強度の低い波形が出力される。また、光リミッタアンプの動作が入力信号に完全に追従しないために、波形の立ち上がり、立ち下がりともに、所定の光強度レベルにまで達しない。
【００１０】
これに対して、連続した論理符号１が入力されると、光リミッタアンプの動作が入力信号に追従するため、所定の光強度レベル１にまで達する。一方、連続した論理符号０が入力されると、所定の光強度レベル０にまで達する。結果として入力信号の符号によって出力信号の振幅が変化し、波形劣化を引き起こすという問題があった。
【００１１】
そこで、「１０」の２ビットで「０」を、「０１」の２ビットで「１」を表すマンチェスタ符号を用いていた。図６（ａ）に示した論理符号にマンチェスタ符号を適用すると、「０１１００１１００１１００１１００１１００１０１０１０１０１０１０１０１０１０１０１」となり、同一符号の連続は最大２ビットである。０符号が連続する場合にも、「１０」信号の連続となるので、パターン効果はほとんど生じないという利点を有する。
【００１２】
次に、マンチェスタ符号を適用するために、光リミッタアンプの直前に挿入され、強度変調符号をマンチェスタ変調符号に変換する波長変換素子について説明する（例えば、非特許文献２参照）。図７に、従来の波長変換素子を示す。波長変換素子は、４つの２×２波長カプラ９〜１２と、２つの半導体光増幅器９０１，９０２とを組み合わせ、４つの入力ポート１〜４と、４つの出力ポート５〜８とを有する。
【００１３】
入力ポート３に接続された光源９０４は、波長１５４５ｎｍの連続光を出力する。入力ポート１，４にはそれぞれ同一の波長１５５５ｎｍの信号光が入力され、入力ポート４に入力される信号光９０６は、入力ポート１に入力される信号光９０５より１／２ビットだけ遅延している。入力ポート１，４のいずれにも信号光入力がない初期状態では、光源９０４からの連続光は、出力ポート６に出力される。
【００１４】
このような構成により、入力ポート１に符号「１」が入力されると、半導体光増幅器９０１における波長１５４５ｎｍの連続光の位相条件が変化し、光源９０４からの連続光は、出力ポート７に出力される。すなわち、出力ポート６は、信号光に対する反転符号、出力ポート７は、信号光に対する正転符号を出力する。１／２ビット遅延して到達する信号光９０６は、いわゆるリセット信号となり、波長変換素子の高速応答を可能にする。
【００１５】
【非特許文献１】Y.Shibata, et al., ”Semiconductor laser diode optical amplifiers/gates in photonic packet switching”, J. of Lightwave Technology, vol.16, No.12, pp.2228-2235, 1998
【非特許文献２】S.Nakamura, K.Tajima, ”Bit-rate-transparent non-return-to-zero all-optical wavelength conversion at up to 42 Gb/s by operating Symmetric-Mach-Zehnder switch with new scheme”, OFC 2004, FD3
【発明の開示】
【発明が解決しようとする課題】
【００１６】
しかしながら、マンチェスタ符号は、１ビットを２ビットで表現するため、送信器は２倍の帯域を必要とし、送信器の負荷が大きくなるという問題があった。波長帯域幅も２倍の幅を要求されるため、波長分割多重（ＷＤＭ）伝送の場合には、波長数が半分になってしまうという問題があった。
【００１７】
本発明は、このような問題に鑑みてなされたもので、その目的とするところは、送信された強度変調符号をマンチェスタ符号に変換して、光リミッタアンプに入力し、パターン効果による波形劣化を生じないようにする符号変換装置を提供することにある。
【課題を解決するための手段】
【００１８】
本発明は、このような目的を達成するために、請求項１に記載の発明は、一方の入力ポート（１０２）に第１波長の連続光を出力する光源（１１９）が接続された２入力２出力の第１カプラ（１０５）と、一方の出力ポート（１１７）から第２波長の第１信号光（１２０）を入力する第２カプラ（１０６）と、一方の出力ポート（１１８）から前記第１信号光を遅延した第２信号光（１２１）を入力する第３カプラ（１０７）と、前記第１カプラ（１０５）の一方の出力ポートから前記連続光を入力し、前記第２カプラ（１０６）の一方の入力ポートから前記第１信号光を入力し、前記第１信号光の波長を前記第１波長に変換する第１半導体光増幅器（１０８）と、前記第３カプラ（１０７）の一方の入力ポートから前記第２信号光を入力する第２半導体光増幅器（１０９）と、一方の入力ポートに前記第２カプラ（１０６）の他方の出力ポートが接続され、他方の入力ポートに前記第３カプラ（１０７）の他方の出力ポートが接続された第４カプラ（１１０）と、該第４カプラ（１１０）の一方の出力に接続された遅延素子（１１３）と、一方の入力ポートに前記遅延素子（１１３）の出力が接続され、他方の入力ポートに前記第４カプラ（１１０）の他方の出力ポートが接続された第５カプラ（１１４）とを備え、該第５カプラ（１１４）は、前記第１波長に変換され反転された前記第１信号光、および前記第１波長に変換され前記遅延素子により遅延された前記第１信号光を一方の出力ポートに出力することを特徴とする。
【００１９】
請求項２に記載の発明は、一方の入力ポートに第１波長の連続光を出力する光源（１１９）が接続された２入力２出力の第１カプラ（２０５）と、一方の入力ポート（２０１）から第２波長の第１信号光（１２０）を入力し、他方の入力ポートが前記第１カプラ（２０５）の一方の出力ポートに接続された第２カプラ（２０６）と、一方の入力ポート（２０４）から前記第１信号光を遅延した第２信号光（１２１）を入力し、他方の入力ポートが前記第１カプラ（２０５）の他方の出力ポートに接続された第３カプラ（２０７）と、前記第２カプラ（２０６）の一方の出力ポートから前記連続光および前記第１信号光を入力し、前記第１信号光の波長を前記第１波長に変換する第１半導体光増幅器（２０８）と、前記第３カプラ（２０７）の一方の出力ポートから前記第２信号光を入力する第２半導体光増幅器（２０９）と、一方の入力ポートに前記第１半導体光増幅器（２０８）の出力が接続され、他方の入力ポートに前記第２半導体光増幅器（２０９）の出力が接続された第４カプラ（２１０）と、該第４カプラ（２１０）の一方の出力に接続された第３半導体光増幅器（２１９）と、前記第４カプラ（２１０）の他方の出力に接続された第４半導体光増幅器（２２０）と、前記第３半導体光増幅器（２１９）の出力に接続された遅延素子（２１３）と、一方の入力ポートに前記遅延素子（２１３）の出力が接続され、他方の入力ポートに前記第４半導体光増幅器（２２０）の出力が接続された第５カプラ（２１４）とを備え、該第５カプラ（２１４）は、前記第１波長に変換され反転された前記第１信号光、および前記第１波長に変換され前記遅延素子により遅延された前記第１信号光を一方の出力ポートに出力することを特徴とする。
【発明の効果】
【００２０】
以上説明したように、本発明によれば、強度変調符号をマンチェスタ符号に変換して、光リミッタアンプに入力することができるので、パターン効果による波形劣化を生じないようにすることが可能となる。
【発明を実施するための最良の形態】
【００２１】
以下、図面を参照しながら本発明の実施形態について詳細に説明する。  
図８に、本発明の第１の実施形態にかかる波長変換素子を示す。波長変換素子は、４つの２×２波長カプラ９〜１２と、２つの半導体光増幅器１００１，１００２とを組み合わせ、４つの入力ポート１〜４と、４つの出力ポート５〜８とを有する。半導体光増幅器１００１と波長カプラ９〜１２との間には、波長１５４５ｎｍを透過し、波長１５５５ｎｍを阻止する波長フィルタ１００３が挿入されている。
【００２２】
入力ポート３に接続された光源１００４は、波長１５４５ｎｍの連続光を出力する。入力ポート１，４にはそれぞれ同一の波長１５５５ｎｍの信号光が入力され、入力ポート４に入力される信号光１００６は、入力ポート１に入力される信号光１０５より１／２ビットだけ遅延している。入力ポート１，４のいずれにも信号光入力がない初期状態では、光源１００４からの連続光は、出力ポート６に出力される。
【００２３】
このような構成により、入力ポート１に符号「１」が入力されると、半導体光増幅器１００１における波長１５４５ｎｍの連続光の位相条件が変化し、光源１００４からの連続光は、出力ポート７に出力される。すなわち、出力ポート６は、信号光に対する反転符号、出力ポート７は、信号光に対する正転符号を出力する。１／２ビット遅延して到達する信号光１００６は、いわゆるリセット信号となり、波長変換素子の高速応答を可能にする。信号速度としては例えば４０Ｇｂ／ｓとする。
【００２４】
図９に、各ポートの信号光の波形を示す。なお、図８の記載に合わせて、ビットは、右から左に流れるものとする。上述したように、出力ポート６には波長１５４５ｎｍに変換された反転符号１００７が得られる。波長変換光の位相は、信号光１００５が入力されたタイミングで立ち上がり、信号光１００６が入力されたタイミング（１／２ビット後）で立ち下がる。ここで、信号光１００５は、波長フィルタ１００３により阻止されるが、信号光１００６は、波長１５５５ｎｍのまま出力ポート６に透過して信号光１００８となる。
【００２５】
ここで入力信号４０Ｇｂ／ｓ（１ビットは２５ｐｓ）の半分のタイムスロット１２．５ｐｓを考えると、入力信号の「０」符号（１ビット２５ｐｓ）に対して、出力信号は「１０」（１ビット１２．５ｐｓ）となり、通常の強度変調符号がマンチェスタ符号に変換される。同様に入力信号が「１」のとき、出力は「０１」となる。
【００２６】
図１０に、本発明の第２の実施形態にかかる波長変換素子を示す。波長変換素子は、４つの２×２波長カプラ１０５，１０６，１０７，１１０と、２つの半導体光増幅器１０８，１０９とを組み合わせ、４つの入力ポート１０１〜１０４と、４つの出力ポート１１１，１１２，１１７，１１８とを有する。さらに、出力ポート１１１，１１２には、遅延素子１１３と波長カプラ１１４とが接続され、２つの出力ポート１１５，１１６とを有する。
【００２７】
入力ポート１０２に接続された光源１１９は、波長１５４５ｎｍの連続光を出力する。入力ポート１０１，１０４にはそれぞれ同一の波長１５５５ｎｍの信号光１２０，１２１が入力され、入力ポート１０４に入力される信号光１２１は、入力ポート１０１に入力される信号光１２０より１／４〜１／２ビットだけ遅延している。入力ポート１０１，１０４のいずれにも信号光入力がない初期状態では、光源１１９からの連続光は、出力ポート１１１に出力される。
【００２８】
このような構成により、入力ポート１０１に符号「１」が入力されると、半導体光増幅器１０８における波長１５４５ｎｍの連続光の位相条件が変化し、光源１１９からの連続光は、出力ポート１１２に出力される。すなわち、出力ポート１１１は、信号光に対する反転符号、出力ポート１１２は、信号光に対する正転符号を出力する。１／４〜１／２ビット遅延して到達する信号光１２１は、いわゆるリセット信号となり、波長変換素子の高速応答を可能にする。信号速度としては例えば４０Ｇｂ／ｓとする。
【００２９】
図１１に、各ポートの信号光の波形を示す。なお、図１０の記載に合わせて、ビットは、右から左に流れるものとする。上述したように、出力ポート１１１には波長１５４５ｎｍに変換された反転符号１２２が得られる。波長変換光の位相は、信号光１２０が入力されたタイミングで立ち上がり、信号光１２１が入力されたタイミング（１／２ビット後）で立ち下がる。ここで、１／４〜１／２ビットの遅延量を適当な値に設定することにより、正転符号と反転符号のパルス幅を、例えば、信号光の１／２のパルス幅（１２．５ｐｓ）とすることができる。
【００３０】
そこで、出力ポート１１２に出力される正転符号を、遅延素子１１３により１／２ビット遅延させ、出力ポート１１１の反転符号１２０と、波長カプラ１１４で合波する。出力ポート１１５には、入力信号の「０」符号（１ビット２５ｐｓ）に対して、出力信号は「１０」（１ビット１２．５ｐｓ）となり、入力信号の「１」符号に対して、出力信号は「０１」となる。すなわち、単一波長１５４５ｎｍのマンチェスタ符号に変換される。
【００３１】
なお、元の波長１５５５ｎｍの信号光は、出力ポート１１５の後段に接続した波長フィルタで阻止することができ、光集積デバイス内部にフィルタ回路を構成する必要がない。光源１１９の連続光を入力ポート１０３に入力してもよいし、マンチェスタ符号の出力を出力ポート１１６としてもよい。
【００３２】
光源１１９から１／４〜１／２ビット幅のパルス信号を、入力ポート１０２または入力ポート１０３に入力してもよい。この場合には、入力ポート１０４に入力される信号光１２１を省略することができる。ただし、光信号に対する応答速度が、半導体光増幅器のキャリアのライフタイムに律速され、信号速度は、１０〜２０Ｇｂ／ｓに制限される。
【００３３】
また、正転符号と反転符号の干渉を抑制するために、出力ポート１１１，１１２に、例えば、１００ｍの長尺の光ファイバを挿入してもよい。同様の目的で、出力ポート１１１，１１２の出力の偏光面が直交するように、偏波制御手段を挿入することもできる。
【００３４】
図１２に、本発明の第３の実施形態にかかる波長変換素子を示す。波長変換素子は、４つの２×２波長カプラ１０５，１０６，１０７，１１０と、２つの半導体光増幅器１０８，１０９とを組み合わせ、４つの入力ポート１０１〜１０４と、４つの出力ポート１１１，１１２，１１７，１１８とを有する。さらに、出力ポート１１１，１１２には、遅延素子１１３と波長カプラ１１４とが接続され、２つの出力ポート１１５，１１６とを有する。
【００３５】
入力ポート１０２に接続された光源１１９は、波長１５４５ｎｍの連続光を出力する。出力ポート１１７，１１８にはそれぞれ同一の波長１５５５ｎｍの信号光１２０，１２１が入力され、出力ポート１１８に入力される信号光１２１は、出力ポート１１７に入力される信号光１２０より１／４〜１／２ビットだけ遅延している。このようにして、信号光と波長変換光の進行方向を互いに逆方向にすることもできる。
【００３６】
図１３に、本発明の第４の実施形態にかかる波長変換素子を示す。波長変換素子は、４つの２×２波長カプラ２０５，２０６，２０７，２１０と、４つの半導体光増幅器２０８，２０９とを組み合わせ、４つの入力ポート２０１〜２０４と、４つの出力ポート２１１，２１２，２１７，２１８とを有する。さらに、出力ポート２１１，２１２には、それぞれ半導体光増幅器２１９，２２０と遅延素子２１３と波長カプラ２１４とが接続され、２つの出力ポート２１５，２１６とを有する。
【００３７】
第２，３の実施形態にかかる波長変換素子においては、反転符号と正転符号の光強度が一定とはならず、マンチェスタ符号「０１」と「１０」で信号強度が異なる場合もある。そこで、第２の実施形態にかかる波長変換素子において、出力ポート２１１，２１２にそれぞれ半導体光増幅器２１９，２２０を挿入し、注入電流を調整することにより、反転符号と正転符号の光強度を一定にすることができる。
【００３８】
なお、半導体光増幅器２１９，２２０の代わりに、アッテネータを用いてもよい。
【図面の簡単な説明】
【００３９】
【図１】従来の超高速パケットを使用した光通信システムを示すブロック図である。
【図２】ユーザ端末における超高速光パケットの受信波形を示す図である。
【図３】光リミッタアンプを介して受信した超高速光パケットの受信波形を示す図である。
【図４】従来の光リミッタアンプの構造を示す斜視図である。
【図５】従来の光リミッタアンプの入出力特性を示す図である。
【図６】光リミッタアンプのパターン効果を説明するための図である。
【図７】従来の波長変換素子を示す構成図である。
【図８】本発明の第１の実施形態にかかる波長変換素子を示す構成図である。
【図９】波長変換素子の各ポートの信号光の波形を示す図である。
【図１０】本発明の第２の実施形態にかかる波長変換素子を示す構成図である。
【図１１】波長変換素子の各ポートの信号光の波形を示す図である。
【図１２】本発明の第３の実施形態にかかる波長変換素子を示す構成図である。
【図１３】本発明の第４の実施形態にかかる波長変換素子を示す構成図である。
【符号の説明】
【００４０】
１０１〜１０４  入力ポート
１０５，１０６，１０７，１１０，１１４  波長カプラ
１０８，１０９  半導体光増幅器
１１１，１１２，１１５，１１６，１１７，１１８  出力ポート
１１３  遅延素子
１１９  光源
【図１】
2006003753.tif 000003
【図２】
2006003753.tif 000004
【図３】
2006003753.tif 000005
【図４】
2006003753.tif 000006
【図５】
2006003753.tif 000007
【図６】
2006003753.tif 000008
【図７】
2006003753.tif 000009
【図８】
2006003753.tif 000010
【図９】
2006003753.tif 000011
【図１０】
2006003753.tif 000012
【図１１】
2006003753.tif 000013
【図１２】
2006003753.tif 000014
【図１３】
2006003753.tif 000015